(57)【要約】【課題】撮影レンズ及びフラッシュ用発光部材を備える携帯電子機器において、小型化・高密度実装化を実現する。【解決手段】撮影レンズ６及びフラッシュ用発光部材（７１）を備える携帯電子機器において、撮影レンズ６の近傍にフラッシュ用発光部材（７１）を配置するとともに、撮影レンズ６の周囲に配置されるモールド部材８に、フラッシュ用発光部材（７１）からの光を拡散する光拡散部材９を一体に設ける。撮影レンズ６の近傍にフラッシュ用発光部材（７１）を配置して、撮影レンズ６周囲のモールド部材８に光拡散部材９を一体に設けたので、撮影レンズ６及びフラッシュ用発光部材（７１）を最接近位置に高密度実装できる。従って機器の小型化を達成できる。そして、撮影レンズ６及びフラッシュ用発光部材（７１）を覆うレンズバリア５も小型化できる。【選択図】図３
2005165093.tif 000002
【特許請求の範囲】
【請求項１】
撮影レンズ及びフラッシュ用発光部材を備える携帯電子機器において、
撮影レンズの近傍にフラッシュ用発光部材を配置するとともに、
撮影レンズの周囲に配置されるモールド部材に、フラッシュ用発光部材からの光を拡散する光拡散部材を一体に設けたことを特徴とする携帯電子機器。
【請求項２】
前記撮影レンズ及びフラッシュ用発光部材を覆う移動可能なレンズバリアを備えることを特徴とする請求項１に記載の携帯電子機器。
【請求項３】
機器本体に形成した撮影窓に前記撮影レンズ及びモールド部材が配置され、
機器本体内に前記レンズバリアが前記撮影窓を開閉可能に組み付けられていることを特徴とする請求項１または２に記載の携帯電子機器。
【発明の詳細な説明】
【技術分野】
【０００１】
本発明は、撮影レンズ及びフラッシュ用発光部材を備える携帯電子機器に関する。
【背景技術】
【０００２】
ビデオカメラ、電子スチルカメラ、写真用カメラなどのカメラにおいて、従来は、撮影レンズを有する撮影窓とフラッシュ用ストロボを有する発光窓とが別々に設けられており、これら撮影窓及び発光窓を覆うレンズバリアを設けたものがある（例えば特許文献１参照）。
【特許文献１】特開２００２−３５０９２８号公報
【発明の開示】
【発明が解決しようとする課題】
【０００３】
このように従来のカメラは、撮影窓と発光窓を設けることから小型化・高密度実装化に限界があり、さらに、その撮影窓及び発光窓を覆うレンズバリアの小型化にも限界があった。
【０００４】
本発明の課題は、撮影レンズ及びフラッシュ用発光部材を備える携帯電子機器において、小型化・高密度実装化を実現することである。
【課題を解決するための手段】
【０００５】
以上の課題を解決するため、請求項１に記載の発明は、例えば図３、図５及び図６に示すように、撮影レンズ６及びフラッシュ用発光部材７１を備える携帯電子機器において、撮影レンズ６の近傍にフラッシュ用発光部材７１を配置するとともに、撮影レンズ６の周囲に配置されるモールド部材８に、フラッシュ用発光部材７１からの光を拡散する光拡散部材９を一体に設けたことを特徴とする。
【０００６】
請求項１に記載の発明によれば、撮影レンズの近傍にフラッシュ用発光部材を配置して、撮影レンズ周囲のモールド部材に光拡散部材を一体に設けたので、撮影レンズ及びフラッシュ用発光部材を最接近位置に高密度実装できる。
【０００７】
請求項２に記載の発明は、請求項１に記載の携帯電子機器であって、例えば図４及び図５に示すように、前記撮影レンズ６及びフラッシュ用発光部材７１を覆う移動可能なレンズバリア５を備えることを特徴とする。
【０００８】
請求項２に記載の発明によれば、最接近位置に高密度実装された撮影レンズ及びフラッシュ用発光部材を覆うレンズバリアも小型化できる。
【０００９】
請求項３記載の発明は、請求項１または２に記載の携帯電子機器であって、例えば図３から図６に示すように、機器本体１に形成した撮影窓４に前記撮影レンズ６及び前記モールド部材８が配置され、機器本体１内に前記レンズバリア５が前記撮影窓４を開閉可能に組み付けられていることを特徴とする。
【発明の効果】
【００１０】
本発明によれば、撮影レンズ周囲のモールド部材に光拡散部材を一体に設けることによって、撮影レンズ及びフラッシュ用発光部材を最接近位置に高密度実装でき、従って機器の小型化を達成でき、さらにはレンズバリアの小型化も達成できる。
【発明を実施するための最良の形態】
【００１１】
以下、図を参照して本発明を実施するための最良の形態を詳細に説明する。
本発明を適用した携帯電子機器の一実施形態の構成として携帯電話機を示した図１から図４において、１は本体部、２は蓋部、３はヒンジ部、４は撮影窓、５はレンズバリアである。
図示のように、本体部１及び蓋部２はヒンジ部３を介して折り畳み可能に連結されており、本体部１に設けたカメラキーやシャッターキー等を含む各種入力キー及びテンキー等による操作部（入力部）１１と、蓋部２に設けた表示部２１が、折り畳み状態で重ね合わされる。そして、本体部１の操作部１１と反対側の表面に撮影窓４が設けられている。
【００１２】
撮影窓４は、本体部１に組み付けた円形の窓枠４１で囲まれて、レンズバリア５により開閉自在となっており、中央に撮影レンズ６が配置されている。
即ち、図５及び図６に拡大して示したように、レンズバリア５は、本体部１の内部において、撮影窓４を開閉するようスライド自在に組み込まれている。なお、図示しないが、レンズバリア５を撮影窓４の開方向または閉方向に付勢するばね部材と、レンズバリア５をばね部材による付勢方向と反対側の閉位置または開位置に保持するロック機構と、そのロック機構によるレンズバリア５の保持状態を解除するボタンが設けられている。
【００１３】
また、撮影レンズ６の隣には、図６（ａ）に示したように、フラッシュ用ストロボユニット（発光ユニット）７が近接配置されている。このフラッシュ用ストロボユニット７は、図６（ｂ）にも示したように、発光部材であるストロボ７１を反射ケース７２に収容したものである。
そして、撮影レンズ６の周囲には、ドーナツ形をなす樹脂製のモールド部材８が一体に組み付けられており、このモールド部材８は、撮影窓４の内側に配置されている。このモールド部材８には、図３、図５（ａ）及び図６（ａ）に示したように、ストロボ７１の光を拡散する光拡散部材である光拡散用透明カバー９が一体成形されている。即ち、光拡散用透明カバー９は、撮影レンズ６周囲のモールド部材８に整合するように成形されている。
【００１４】
以上により、実施形態では、撮影レンズ６を囲むモールド部材８の一部（ほぼ１／４部分）に扇形形状の光拡散用透明カバー９が一体に設けられ、図３では、横長のカメラのような本体部１に設けた撮影窓４内の上側に光拡散用透明カバー９が位置するものとなっている。
これにより、撮影レンズ６とフラッシュ用ストロボユニット７（ストロボ７１及び反射ケース７２）を互いに最接近位置に高密度実装してカメラ部を小型できる。また、従来のようにフラッシュ用の発光窓を別途設ける必要がない。
そして、撮影レンズ６及びフラッシュ用ストロボユニット７を保護するレンズバリア５も小型化できるとともに、レンズバリア５のスライドストロークも小さくできる。
従って、本体部１を小型化でき、つまり、カメラ付き携帯電話機自体を小型化できる。
【００１５】
なお、以上の実施形態においては、携帯電話機としたが、本発明はこれに限定されるものではなく、カメラは勿論のこと、ＰＤＡなど他の携帯通信端末機器を含む携帯電子機器であっても良い。
また、モールド部材及び光拡散部材のデザイン、発光部材の種類は任意であり、例えば発光部材としてＬＥＤでも良く、その他、具体的な細部構造等についても適宜に変更可能である。
【図面の簡単な説明】
【００１６】
【図１】本発明を適用した携帯電子機器の一実施形態の構成を示すもので、携帯電話機の折り畳み状態での蓋部を示した平面図である。
【図２】図１の携帯電話機を開いた使用状態を示す平面図である。
【図３】図１の携帯電話機の折り畳み状態における反対側の本体部を示す正面図で、撮影窓が開いた状態を示した図である。
【図４】図３の撮影窓を閉じた状態を示した図である。
【図５】図３の撮影窓部分の拡大図（ａ）とその中央横断面図（ｂ）である。
【図６】図５（ａ）の中央縦断面図（ａ）とその発光部材及び光拡散部材部分の横断面図（ｂ）である。
【符号の説明】
【００１７】
１  本体部
２  蓋部
３  ヒンジ部
４  撮影窓
４１  窓枠
５  レンズバリア
６  撮影レンズ
７  フラッシュ用発光ユニット
７１  発光部材
７２  反射ケース
８  モールド部材
９  光拡散部材
【図１】
2005165093.tif 000003
【図２】
2005165093.tif 000004
【図３】
2005165093.tif 000005
【図４】
2005165093.tif 000006
【図５】
2005165093.tif 000007
【図６】
2005165093.tif 000008